(57)【要約】      （修正有）【課題】使い捨ておむつの柔軟な質感を利用者に印象づけることができる包装体を提供する。【解決手段】包装体は、複数の使い捨ておむつ１と、複数の使い捨ておむつを収容し、それぞれの使い捨ておむつを取り出すための開口７１を有する外箱７０と、を備える。使い捨ておむつは、第１部分及び第２部分に２つ折りされるとともに第１部分を第２部分の内側にするように更に２つ折りされた状態で４つ折りにされている。複数の使い捨ておむつは、第２部分の折り目が開口の位置する側を向いて並列した状態で外箱に収容される。【選択図】図３
0003229343.tif 000002
【実用新案登録請求の範囲】
【請求項１】
複数の使い捨ておむつと、
複数の前記使い捨ておむつを収容し、それぞれの前記使い捨ておむつを取り出すための開口を有する外箱と、
を備え、
それぞれの前記使い捨ておむつは、第１部分及び第２部分に２つ折りされるとともに前記第１部分を前記第２部分の内側にするように更に２つ折りされた状態で４つ折りにされており、
複数の前記使い捨ておむつは、前記第２部分の折り目が前記開口の位置する側を向いて並列した状態で前記外箱に収容されていることを特徴とする包装体。
【請求項２】
請求項１に記載の包装体であって、
並列に配置された複数の前記使い捨ておむつの数をＮとし、
Ｎ個の前記使い捨ておむつが並ぶ方向における前記外箱の内寸をＷとしたとき、
Ｗ／Ｎは、前記使い捨ておむつを２つ折りにして前記第１部分と前記第２部分とを重ねた自然状態の厚みの２倍よりも大きいことを特徴とする包装体。
【請求項３】
請求項１又は２に記載の包装体であって、
前記使い捨ておむつは、肌側に配置される肌側シートと、非肌側に配置されるバックシートとを有しており、
前記バックシートは、前記肌側シートよりも嵩高に構成されており、
前記第２部分の折り目の表面には、前記バックシートが配置されていることを特徴とする包装体。
【請求項４】
請求項１〜３のいずれかに記載の包装体であって、
前記第２部分の前記折り目における不織布の表面は起毛していることを特徴とする包装体。
【請求項５】
請求項１〜４のいずれかに記載の包装体であって、
前記使い捨ておむつは、伸縮部材によって伸縮する伸縮領域を有しており、
前記使い捨ておむつは、前記開口の側から前記伸縮領域が視認されないように、４つ折りされた状態で前記外箱に収容されていることを特徴とする包装体。
【請求項６】
請求項５に記載の包装体であって、
前記使い捨ておむつは、展開型の使い捨ておむつであり、
前記第１部分は背側の部位を含み、前記第２部分は腹側の部位を含むことを特徴とする包装体。
【請求項７】
請求項１〜６のいずれかに記載の包装体であって、
前記使い捨ておむつは、幅方向両側のサイドフラップ部が前記幅方向の内側に折り畳まれた状態で、前記第１部分及び前記第２部分に２つ折りされていることを特徴とする包装体。
【請求項８】
請求項７に記載の包装体であって、
前記サイドフラップ部には、長手方向に沿って配置された伸縮部材によって形成されたレッグギャザーが設けられており、
前記サイドフラップ部が前記幅方向の内側に折り畳まれることによって、前記レッグギャザーが内側に配置されることを特徴とする包装体。
【請求項９】
請求項７又は８に記載の包装体であって、
前記サイドフラップ部の前記幅方向の外側にファスニングテープが設けられており、
前記サイドフラップ部が前記幅方向の内側に折り畳まれることによって、前記ファスニングテープが内側に配置されることを特徴とする包装体。
【請求項１０】
請求項１〜９のいずれかに記載の包装体であって、
少なくとも前記第２部分の前記折り目の領域に図柄が形成されていることを特徴とする包装体。
【請求項１１】
請求項１０に記載の包装体であって、
複数の前記使い捨ておむつの前記図柄はそれぞれ異なることを特徴とする包装体。
【請求項１２】
請求項１〜１１のいずれかに記載の包装体であって、
前記第２部分の前記折り目には、インジケーターが配置されていないことを特徴とする包装体。
【請求項１３】
請求項１〜１２のいずれかに記載の包装体であって、
前記第２部分の前記折り目には、補助表示が形成されていないことを特徴とする包装体。
【請求項１４】
請求項１〜１３のいずれかに記載の包装体であって、
前記開口を塞ぐように前記外箱に被せる外蓋を更に備えることを特徴とする包装体。
【請求項１５】
請求項１〜１４のいずれかに記載の包装体であって、
前記開口の一部を覆う中蓋を更に備えることを特徴とする包装体。
【請求項１６】
請求項１５に記載の包装体であって、
前記中蓋の表面に、画像が形成されていることを特徴とする包装体。
【請求項１７】
請求項１５又は１６に記載の包装体であって、
前記中蓋が配置された状態の前記開口から、複数の前記使い捨ておむつが視認可能であることを特徴とする包装体。
【考案の詳細な説明】
【技術分野】
【０００１】
本考案は、包装体に関する。
【背景技術】
【０００２】
使い捨ておむつをパッケージに収容する技術分野では、貯蔵や搬送の効率を高めることが重要視されている。このため、パッケージ内の複数の使い捨ておむつは、例えば２つ折りの状態で重ね合わせられ更に圧縮されることによって、薄く折り畳まれた状態でパッケージに詰め込まれている。
【先行技術文献】
【特許文献】
【０００３】
【特許文献１】特開２００７−５１６９０８号公報
【特許文献２】特開２００７−５１６９０９号公報
【特許文献３】特開２０００−１１６７０４号公報
【考案の概要】
【考案が解決しようとする課題】
【０００４】
利用者は、パッケージを開封したときに、パッケージ内に収容された使い捨ておむつを最初に見ることになる。このとき、薄く折り畳まれた使い捨ておむつの無味乾燥な収容状態を利用者が見ると、例えば使い捨ておむつが硬く見えてしまうなど、良くない印象を利用者に与えるおそれがある。
【０００５】
本考案は、利用者に好印象を与えることを目的とする。
【課題を解決するための手段】
【０００６】
上記目的を達成するための主たる考案は、複数の使い捨ておむつと、複数の前記使い捨ておむつを収容し、それぞれの前記使い捨ておむつを取り出すための開口を有する外箱と、を備え、それぞれの前記使い捨ておむつは、第１部分及び第２部分に２つ折りされるとともに前記第１部分を前記第２部分の内側にするように更に２つ折りされた状態で４つ折りにされており、複数の前記使い捨ておむつは、前記第２部分の折り目が前記開口の位置する側を向いて並列した状態で前記外箱に収容されていることを特徴とする包装体である。
本考案の他の特徴については、本明細書及び添付図面の記載により明らかにする。
【考案の効果】
【０００７】
本考案によれば、利用者に好印象を与えることができる。
【図面の簡単な説明】
【０００８】
【図１】図１は、包装体１００の斜視図である。
【図２】図２は、包装体１００の外蓋８１を外した様子の説明図である。
【図３】図３は、包装体１００の分解説明図である。
【図４】図４は、使い捨ておむつ１の展開図である。
【図５】図５Ａ〜図５Ｃは、使い捨ておむつ１の各部の分解説明図である。
【図６】図６Ａ〜図６Ｃは、使い捨ておむつ１の折り畳み方の説明図である。
【図７】図７は、４つ折りされた使い捨ておむつ１の側面図である。
【図８】図８は、変形例の包装体１００の外蓋８１を外した様子の説明図である。
【図９】図９Ａ〜図９Ｃは、中蓋８２の変形例の説明図である。
【図１０】図１０Ａ〜図１０Ｃは、パンツ型の使い捨ておむつ１の折り畳み方の説明図である。図１０Ｄは、参考例の折り畳み方の説明図である。
【考案を実施するための形態】
【０００９】
本明細書及び添付図面の記載により、少なくとも以下の事項が明らかとなる。
【００１０】
複数の使い捨ておむつと、複数の前記使い捨ておむつを収容し、それぞれの前記使い捨ておむつを取り出すための開口を有する外箱と、を備え、それぞれの前記使い捨ておむつは、第１部分及び第２部分に２つ折りされるとともに前記第１部分を前記第２部分の内側にするように更に２つ折りされた状態で４つ折りにされており、複数の前記使い捨ておむつは、前記第２部分の折り目が前記開口の位置する側を向いて並列した状態で前記外箱に収容されていることを特徴とする包装体が明らかとなる。このような包装体によれば、使い捨ておむつの柔軟な質感を利用者に印象づけることができる。
【００１１】
かかる包装体であって、並列に配置された複数の前記使い捨ておむつの数をＮとし、Ｎ個の前記使い捨ておむつが並ぶ方向における前記外箱の内寸をＷとしたとき、Ｗ／Ｎは、前記使い捨ておむつを２つ折りにして前記第１部分と前記第２部分とを重ねた自然状態の厚みの２倍よりも大きいことが望ましい。これにより、第２部分の折り目がふんわりとした折り目になるため、使い捨ておむつの柔軟な質感を利用者に印象づけることができる。
【００１２】
かかる包装体であって、前記使い捨ておむつは、肌側に配置される肌側シートと、非肌側に配置されるバックシートとを有しており、前記バックシートは、前記肌側シートよりも嵩高に構成されており、前記第２部分の折り目の表面には、前記バックシートが配置されていることが望ましい。これにより、利用者が使い捨ておむつを最初に触れたときに、利用者に柔軟な質感を印象づけることができる。
【００１３】
かかる包装体であって、前記第２部分の前記折り目における不織布の表面は起毛していることが望ましい。これにより、利用者が使い捨ておむつを最初に触れたときに、利用者に柔軟な質感を印象づけることができる。
【００１４】
かかる包装体であって、前記使い捨ておむつは、伸縮部材によって伸縮する伸縮領域を有しており、前記使い捨ておむつは、前記開口の側から前記伸縮領域が視認されないように、４つ折りされた状態で前記外箱に収容されていることが望ましい。これにより、使い捨ておむつの柔軟な質感を利用者に印象づけることができる。
【００１５】
かかる包装体であって、前記使い捨ておむつは、展開型の使い捨ておむつであり、前記第１部分は背側の部位を含み、前記第２部分は腹側の部位を含むことが望ましい。これにより、使い捨ておむつの柔軟な質感を利用者に印象づけることができる。
【００１６】
かかる包装体であって、前記使い捨ておむつは、幅方向両側のサイドフラップ部が前記幅方向の内側に折り畳まれた状態で、前記第１部分及び前記第２部分に２つ折りされていることが望ましい。これにより、４つ折り状態の使い捨ておむつの側面がサイドフラップ部の折り目によって構成されるため、使い捨ておむつの柔軟な質感を利用者に印象づけることができる。
【００１７】
かかる包装体であって、前記サイドフラップ部には、長手方向に沿って配置された伸縮部材によって形成されたレッグギャザーが設けられており、前記サイドフラップ部が前記幅方向の内側に折り畳まれることによって、前記レッグギャザーが内側に配置されることが望ましい。これにより、使い捨ておむつの柔軟な質感を利用者に印象づけることができる。
【００１８】
かかる包装体であって、前記サイドフラップ部の前記幅方向の外側にファスニングテープが設けられており、前記サイドフラップ部が前記幅方向の内側に折り畳まれることによって、前記ファスニングテープが内側に配置されることが望ましい。これにより、使い捨ておむつの柔軟な質感を利用者に印象づけることができる。
【００１９】
かかる包装体であって、少なくとも前記第２部分の前記折り目の領域に図柄が形成されていることが望ましい。これにより、図柄によって使い捨ておむつを装飾できるとともに、利用者に好印象を与えることができる。
【００２０】
かかる包装体であって、複数の前記使い捨ておむつの前記図柄はそれぞれ異なることが望ましい。これにより、利用者に好印象を与えることができる。
【００２１】
かかる包装体であって、前記第２部分の前記折り目には、インジケーターが配置されていないことが望ましい。これにより、柔らかくふくらんだ質感を利用者が認識し易くなる。
【００２２】
かかる包装体であって、前記第２部分の前記折り目には、補助表示が形成されていないことが望ましい。これにより、柔らかくふくらんだ質感を利用者が認識し易くなる。
【００２３】
かかる包装体であって、前記開口を塞ぐように前記外箱に被せる外蓋を更に備えることが望ましい。これにより、利用者に使い捨ておむつの予想外の質感を印象づけ易くなる。
【００２４】
かかる包装体であって、前記開口の一部を覆う中蓋を更に備えることが望ましい。これにより、利用者に視認させる部位を限定させることができる。
【００２５】
かかる包装体であって、前記中蓋の表面に、画像が形成されていることが望ましい。これにより、利用者に好印象を与えることができる。
【００２６】
かかる包装体であって、前記中蓋が配置された状態の前記開口から、複数の前記使い捨ておむつが視認可能であることが望ましい。これにより、使い捨ておむつの柔軟な質感を利用者に印象づけることができる。
【００２７】
＝＝＝実施形態＝＝＝
＜包装体１００の基本構成＞
図１は、包装体１００の斜視図である。図２は、包装体１００の外蓋８１を外した様子の説明図である。図３は、包装体１００の分解説明図である。
以下の説明では、図２に示すように、各方向を定義する。すなわち、包装体１００を水平に置いたときの鉛直方向を「上下方向」とし、外箱７０の底側を「下」とし、逆側を「上」とする。なお、包装体１００の外箱７０から見て開口７１する側（若しくは外蓋８１の側）が上となる。また、包装体１００に収容されている複数の使い捨ておむつ１の並ぶ方向を「左右方向」とする。ここでは、外蓋８１の印刷物の向きに従って、「右」及び「左」を規定する。なお、左右方向のことを「並び方向」と呼ぶことがある。また、上下方向及び左右方向に垂直な方向を「前後方向」とする。ここでは、外蓋８１の印刷物の向きに従って、「前」及び「後」を規定する。なお、前後方向のことを「折れ線方向」と呼ぶことがある。
【００２８】
包装体１００は、包装対象と、包装対象を包装する容器とにより構成された集合体である。本実施形態の包装体１００は、複数の使い捨ておむつ１と、外箱７０と、外蓋８１と、中蓋８２とを有する。但し、包装体１００は、複数の使い捨ておむつ１と外箱７０とを備えていれば良く、外蓋８１及び中蓋８２の一方が無くても良いし、外蓋８１及び中蓋８２の両方が無くても良い。
【００２９】
使い捨ておむつ１は、４つ折りにされた状態で外箱７０に収容されている。本実施形態では、５個の使い捨ておむつ１が左右方向に並んで収容されている。但し、使い捨ておむつ１の数は、５個に限られるものではない。使い捨ておむつ１の構成や収容形態については、後述する。
【００３０】
外箱７０は、複数の使い捨ておむつ１を収容する部材である。外箱７０は、使い捨ておむつ１を取り出すための開口７１を有する。外箱７０は、底部７０Ａと、側面部７０Ｂとを有する。底部７０Ａは、外箱７０の底を形成する部位である。側面部７０Ｂは、外箱７０の側面を形成する部位である。側面部７０Ｂは、底部７０Ａの周縁から上側に立ち上がる部位であり、側面部７０Ｂの上縁によって外箱７０の開口７１が形成されている。本実施形態では、側面部７０Ｂは、４つの平板状の部位によって構成されており、外箱７０の開口７１は四角形状に構成されている。
【００３１】
外蓋８１は、外箱７０に被せる部材（蓋）である。外蓋８１を外箱７０に被せると、外箱７０の開口７１が外蓋８１によって塞がれることになる。外蓋８１は、上面部８１Ａと、側面部８１Ｂとを有する。上面部８１Ａは、外蓋８１の上部を形成する部位であり、外箱７０の開口７１を覆う部位である。本実施形態では上面部８１Ａに印刷物が形成されているが、上面部８１Ａに印刷物が形成されていなくても良い。側面部８１Ｂは、外蓋８１の側面を形成する部位である。側面部８１Ｂは、上面部８１Ａの周縁から下側に立ち下がる部位である。外蓋８１を外箱７０に被せると、外蓋８１の側面部８１Ｂは、外箱７０の側面部７０Ｂの外側に対向配置される。図２に示すように外蓋８１が外されると、外箱７０に収容された複数の使い捨ておむつ１が視認可能になる。なお、外蓋８１は、透明な部材で構成されても良い。この場合、外蓋８１を外さなくても、外箱７０に収容された複数の使い捨ておむつ１が視認可能である。
【００３２】
ところで、本実施形態は、後述するように、使い捨ておむつ１の予想外の質感を利用者に印象づけようとするものである。このため、包装体１００の開封前に使い捨ておむつ１が利用者に視認されない方が、開封時にサプライズを演出できるため、効果的となる。したがって、包装体１００は、外蓋８１（開口７１を塞ぐように外箱に被せる部材）を備えることが望ましい。
【００３３】
中蓋８２は、外箱７０に収容される蓋（内側の蓋）である。図２に示すように、中蓋８２は、外箱７０の開口７１の一部を覆う部材である。中蓋８２は、上面部８２Ａと、側面部８２Ｂとを有する。上面部８２Ａは、中蓋８２の上部を形成する部位であり、外箱７０の開口７１の一部を覆う部位である。側面部８２Ｂは、上面部８２Ａの周縁から下側に立ち下がる部位である。中蓋８２の側面部８２Ｂは、左右両側と前側の３方に設けられている。但し、側面部８２Ｂは、この形態に限られるものではなく、例えば別の３方に設けられても良いし、２方のみ（例えば左右両側のみ）又は１方のみ（例えば前側のみ）に設けられても良い。側面部８２Ｂは、外箱７０の側面部７０Ｂの内側に対向配置される。側面部８２Ｂは、使い捨ておむつ１と外箱７０の側面部７０Ｂとの間に挟まれて配置される。側面部８２Ｂが使い捨ておむつ１と外箱７０との間に挟まれることによって、中蓋８２が外れ難くなる。中蓋８２は外箱７０の開口７１の一部を覆うだけなので、中蓋８２が配置された状態であっても、外箱７０の開口７１から複数の使い捨ておむつ１が視認可能である。包装体１００が中蓋８２を備えることにより、外箱７０の開口７１の一部が覆われるため、外箱７０に収容されている複数の使い捨ておむつ１のうちの利用者に視認させる部位を限定させることができる。
【００３４】
＜使い捨ておむつ１の基本構成＞
図４は、使い捨ておむつ１の展開図である。図５Ａ〜図５Ｃは、使い捨ておむつ１の各部の分解説明図である。ここでは、外箱７０に収容される使い捨ておむつ１の一例として図４に示す使い捨ておむつ１を説明する。但し、外箱７０に収容される使い捨ておむつ１は、図４（及び図５Ａ〜図５Ｃ）に示す形態に限られるものではない。
【００３５】
以下の説明では、図４に示すように、各方向を定義する。すなわち、使い捨ておむつ１の幅方向を「製品幅方向」とし、長尺な使い捨ておむつ１の長手方向（製品幅方向と直交する方向）を「製品長手方向」とする。なお、前部３から後部７に向かう方向は製品長手方向となる。また、図５に示すように、製品幅方向及び製品長手方向に垂直な方向を「厚み方向」とし、着用者の肌の側を「肌側」とし、その逆側を「非肌側」とする。なお、非肌側を「表側」と呼び、肌側を「裏側」と呼ぶこともある。
【００３６】
本実施形態の使い捨ておむつ１は、展開型（オープン型（オープンタイプ）、テープ型と呼ばれることもある）の使い捨ておむつである。但し、使い捨ておむつ１は、展開型に限られるものではなく、例えば後述するようなパンツ型でも良い。
【００３７】
使い捨ておむつ１は、前部３と、股下部５と、後部７とを有する。前部３は、着用者の前側（腹側）に位置することになる部位である。後部７は、着用者の後側（背側）に位置することになる部位である。股下部５は、前部３と後部７との間に位置することになる部分である。また、使い捨ておむつ１は、本体部１Ａと、サイドフラップ部１Ｂとを有する。本体部１Ａは、使い捨ておむつ１の製品幅方向の中央部に位置する帯状の部位である。サイドフラップ部１Ｂは、本体部１Ａに対して製品幅方向の外側に位置する部位である。
【００３８】
本実施形態の使い捨ておむつ１は、吸収体２１と、トップシート２２と、防漏シート２３と、バックシート２４と、肌側シート２６とを有する。
【００３９】
吸収体２１は、液体（例えば着用者の排泄物）を吸収し、保持する部材である。トップシート２２は、吸収体２１の肌側に配置された液透過性のシート部材である。防漏シート２３は、吸収体２１の非肌側に配置された液不透過性のシート部材である。バックシート２４は、おむつの非肌側の外装を構成する部材である。バックシート２４は、例えば不織布で構成されている。バックシート２４は、防漏シート２３の非肌側（外側）に配置される。肌側シート２６は、レッグサイドギャザー（立体ギャザー）を構成するシート部材である。肌側シート２６は、例えば不織布で構成されている。また、肌側シート２６は、サイドフラップ部１Ｂを構成する部材でもある。肌側シート２６は、製品長手方向の両端の領域と、製品幅方向の外側の領域が他の部材に接合され、ポケット状の非接合部が構成されている。肌側シート２６のポケット状の非接合部によってレッグサイドギャザーが構成されることになる。
【００４０】
また、使い捨ておむつ１は、ファスニングテープ３０と、ターゲットシート２９とを有する。ファスニングテープ３０は、使い捨ておむつ１を着用者に着用させるときに、前部３に係合させる係合部材である。ファスニングテープ３０には、不織布等の繊維と係合するフックを有する面ファスナーが設けられている。本実施形態では、ファスニングテープ３０をターゲットシート２９に係合させることになる。但し、ターゲットシート２９を設けずに、ファスニングテープ３０をバックシート２４に係合させても良い。一対のファスニングテープ３０は、後部７のサイドフラップ部１Ｂの製品幅方向の外側に設けられている。ターゲットシート２９は、ファスニングテープ３０を係合させる部材である。ターゲットシート２９は、前部３の製品幅方向の中央部において、バックシート２４の非肌側（外側）に配置されている。
【００４１】
また、使い捨ておむつ１は、ウエスト伸縮部材４１と、レッグ伸縮部材４２と、レッグサイド伸縮部材４３とを備える。ウエスト伸縮部材４１は、後部７に設けられ、製品幅方向に沿って伸縮する帯状の部材（例えば弾性シート）である。ウエスト伸縮部材４１が後部７に伸縮性を付与することによって、ウエストギャザーが構成されることになる。レッグ伸縮部材４２は、サイドフラップ部１Ｂに設けられ製品長手方向に沿って伸縮する部材である。レッグ伸縮部材４２がサイドフラップ部１Ｂに伸縮性を付与することによって、レッグギャザーが構成されることになる。レッグサイド伸縮部材４３は、肌側シート２６の製品幅方向内側に設けられ、製品長手方向に沿って伸縮する部材（例えば糸ゴム）である。レッグサイド伸縮部材４３によって肌側シート２６に収縮力が付与されることによって、肌側シート２６のポケット状の非接合部が起立し、これによりレッグサイドギャザー（立体ギャザー）が構成されることになる。
【００４２】
＜使い捨ておむつ１の収容形態＞
図６Ａ〜図６Ｃは、使い捨ておむつ１の折り畳み方の説明図である。図７は、４つ折りされた使い捨ておむつ１の側面図である。なお、図７は、４つ折りされた使い捨ておむつ１を製品幅方向から見た図である。
【００４３】
図６Ａに示すように、使い捨ておむつ１は、まず２つ折りされる。図６Ａに示す折り線から見て一方の側を「第１部分」と呼び、他方の側を「第２部分」と呼ぶ。本実施形態では、第１部分５１は、後部７（背側の部位）を含み、第２部分５２は、前部３（腹側の部位）を含むが、逆でも良い。また、図６Ａに示すように２つ折りするときの折り目（折れ線）のことを「第１折り目（第１折れ線）」と呼ぶことがある。本実施形態では、第１折り目６１は、製品幅方向に沿って形成される。
【００４４】
使い捨ておむつ１を第１部分５１及び第２部分５２に２つ折りすると、図６Ｂに示す状態（２つ折り状態）になる。なお、通常の使い捨ておむつ１は、図６Ｂに示すような２つ折りの状態でパッケージに収容されている。また、通常の使い捨ておむつ１のパッケージでは、２つ折り状態の複数の使い捨ておむつ１が重ね合わされた状態で圧縮されることによって、薄く折り畳まれた状態で詰め込まれている。但し、図６Ｂに示すように薄く折り畳まれた使い捨ておむつ１は、使い捨ておむつ１が硬く見えてしまうおそれがある。特に、図６Ｂに示す使い捨ておむつ１が圧縮された状態で重ね合わされた場合、鋭く折り曲げられた第１折り目６１がパッケージ内に並列された状態になると、特に使い捨ておむつ１が硬く見えてしまうおそれがある。
【００４５】
本実施形態では、図６Ｃに示すように、使い捨ておむつ１は、２つ折り状態から更に２つ折りされた状態で４つ折りにされる。また、本実施形態では、図６Ｃに示すように、使い捨ておむつ１は、第１部分５１を第２部分５２の内側にするように４つ折りされた状態（４つ折り状態）にされる。４つ折りするときの折り目（図６Ｂの点線に示す折れ線）のことを「第２折り目（第２折れ線）」と呼ぶことがある。また、第２折り目６２のうち、第１部分５１の折り目のことを「内側折り目」と呼び、第２部分５２の折り目のことを「外側折り目」と呼ぶことがある。本実施形態では、第２折り目６２は、製品幅方向に沿って形成されており、第１折り目６１と同じ方向に沿って形成されている。
【００４６】
図７に示すように、第２部分５２は、第１部分５１の外側に配置されている。このため、第２部分５２の外側折り目６２Ｂは、第１部分５１の内側折り目６２Ａよりも緩やかな曲面となる。また、第２部分５２の外側折り目６２Ｂは、第１折り目６１よりも緩やかな曲面となる。なお、本実施形態では、第１折り目６１及び第２折り目６２（内側折り目６２Ａ及び外側折り目６２Ｂ）には吸収体２１が配置されている（図４参照）。これにより、折り目に吸収体２１が存在しない場合と比べて、それぞれの折り目が緩やかな曲面になるため、第２部分５２の外側折り目６２Ｂが更に緩やかな曲面となる。
【００４７】
本実施形態では、図２に示すように、第２部分５２の外側折り目６２Ｂは、外箱７０の開口７１の位置する側（上側）を向いている。これにより、使い捨ておむつ１が外箱７０に収容された状態で、緩やかな曲面で構成された外側折り目６２Ｂを視認可能になる。なお、図２に示すように、第２部分５２の外側折り目６２Ｂは、略半円筒面状の曲面となり、母線が前後方向に沿うように使い捨ておむつ１が外箱７０に収容されている。第２部分５２の外側折り目６２Ｂは、緩やかな曲面で構成されるため、第２部分５２の外側折り目６２Ｂが視認されたときに、使い捨ておむつ１が硬く見えることを抑制できる。  
加えて、本実施形態では、図２に示すように、複数の使い捨ておむつ１は、第２部分５２の外側折り目６２Ｂが開口７１の位置する側を向いて並列した状態で外箱７０に収容されている。これにより、緩やかな曲面で構成された第２部分５２の外側折り目６２Ｂが連なる状態になり、同じ方向（前後方向）に沿った母線で構成された複数の略半円筒面状の曲面が左右方向に連なる状態になる。このような複数の使い捨ておむつ１を視認させることによって、柔らかくふくらんだ質感（柔軟な質感）を印象づけることができる。
【００４８】
図２に示すように４つ折り状態の複数の使い捨ておむつ１を左右方向に並べて外箱７０に収容したとき、隣接する使い捨ておむつ１は第２部分５２同士が接触するとともに、左右両端の使い捨ておむつ１は、第２部分５２が外箱７０の側面部７０Ｂと接触する。このため、図３に示すように、外箱７０に収容された４つ折り状態の複数の使い捨ておむつ１の左右方向の外寸Ｔｎと、外箱７０の左右方向の内寸Ｗ（左右方向に対向する一つの側壁部の間隔）とは、同じ長さになる（Ｔｎ＝Ｗ）。また、複数の使い捨ておむつ１の第２部分５２の外側折り目６２Ｂは、ほぼ等間隔で左右方向に並んで配置されることになる。
【００４９】
外箱７０に収容された４つ折り状態の使い捨ておむつ１の厚みＴ２（図６Ｃ参照；図３に示す左右方向の外寸）は、使い捨ておむつ１を２つ折りにして第１部分５１と第２部分５２とを重ねた自然状態の厚みＴ１の２倍よりも大きいことが望ましい。言い換えると、並列に配置された複数の使い捨ておむつ１の数をＮとし、複数の使い捨ておむつ１が並ぶ方向（ここでは左右方向）における外箱７０の内寸をＷとしたとき（図３参照）、Ｗ／Ｎは、使い捨ておむつ１を２つ折りにして第１部分５１と第２部分５２とを重ねた自然状態の厚みＴ１の２倍よりも大きいことが望ましい。なお、「自然状態の厚みＴ１」は、図６Ｂに示すように使い捨ておむつ１を２つ折りにして第１部分５１と第２部分５２とを重ねたときの股下部５（折り目の影響を受けていない部位）の直径５ｃｍの範囲を測定範囲とし、厚みを厚み測定器（株式会社尾崎製作所  ピーコック  ダイヤルシックネスゲージ  型式Ｊ−Ｂ（目量０．０５ｍｍ、測定範囲０〜３５ｍｍ））を用いて測定範囲に荷重６０ｇをかけてバネ無しで測定した値である。４つ折り状態の厚みＴ２が２つ折り状態の自然状態の厚みＴ１の２倍よりも大きいことにより、言い換えると、Ｗ／ＮがＴ１の２倍よりも大きいことにより、使い捨ておむつ１がふんわりと４つ折りされた状態になり、第２折り目６２がふんわりとした折り目になるため、柔軟な質感を印象づけることができる。
【００５０】
ところで、視覚による第１印象だけでなく、触覚による第１印象も重要である。そして、利用者は、外箱７０に収容されている使い捨ておむつ１を取り出すときに、特に第２部分５２の外側折り目６２Ｂの表面付近に最初に触れることになる。外側折り目６２Ｂの表面はバックシート２４（図５Ａ〜図５Ｃ参照）で構成されるため、バックシート２４が柔軟な質感を有することが望ましい。  
そこで、本実施形態では、バックシート２４は、肌側シート２６よりも嵩高に構成されることが望ましい。すなわち、バックシート２４の単位体積当たりの質量（単位：ｇ／ｃｍ３）は、肌側シート２６の単位体積当たりの質量よりも小さいことが望ましい。これにより、バックシート２４が柔軟な質感で構成され、利用者が使い捨ておむつ１を最初に触れたときに、利用者に柔軟な質感を印象づけることができる。  
また、本実施形態では、第２部分５２の外側折り目６２Ｂにおける不織布（バックシート２４）の表面が起毛していることが望ましい。これにより、利用者が使い捨ておむつ１を最初に触れたときに、利用者に柔軟な質感を印象づけることができる。
【００５１】
本実施形態では、使い捨ておむつ１は、伸縮部材（例えばウエスト伸縮部材４１、レッグ伸縮部材４２、レッグサイド伸縮部材４３）によって伸縮するギャザー（伸縮領域に相当）を有しており、図２に示すように、開口７１の側からギャザーが視認されないように、４つ折りされた状態で外箱７０に収容されている。これにより、ギャザーが外側から視認される状態と比べて、使い捨ておむつ１を視認させたときに、柔らかくふくらんだ質感（柔軟な質感）を利用者に印象づけることができる。
【００５２】
本実施形態では、第１部分５１は背側の部位（後部７）を含み、第２部分５２は腹側（前部３）の部位を含む。これにより、第１部分５１が第２部分５２の内側になるように使い捨ておむつ１を４つ折り状態にしたとき（図６Ｃ参照）、後部７に構成されたウエストギャザー（図４のウエスト収縮部材によって伸縮する伸縮領域）が内側に収容され、ウエストギャザーが外側から視認されない状態になる。この結果、ウエストギャザーが外側から視認される状態と比べて、使い捨ておむつ１を視認させたときに、柔らかくふくらんだ質感（柔軟な質感）を利用者に印象づけることができる。
【００５３】
また、本実施形態では、図６Ａに示すように、使い捨ておむつ１は、製品幅方向の両側のサイドフラップ部１Ｂが製品幅方向の内側に予め折り畳まれた状態で、２つ折りされる。これにより、使い捨ておむつ１を４つ折り状態にしたとき（図６Ｃ参照）、使い捨ておむつ１の側面がサイドフラップ部１Ｂの折り目によって構成されるため、使い捨ておむつ１を視認させたときに、柔らかくふくらんだ質感（柔軟な質感）を利用者に印象づけることができる。  
加えて、サイドフラップ部１Ｂにはレッグ伸縮部材４２（図４参照）によって構成されたレッグギャザーが設けられており、製品幅方向の両側のサイドフラップ部１Ｂを製品幅方向の内側に折り畳むことによって（図６Ａ参照）、レッグギャザーが内側に収容されるため、使い捨ておむつ１を４つ折り状態にしたときに（図６Ｃ参照）、レッグギャザーが外側から視認されない状態になる。この結果、レッグギャザーが外側から視認される状態と比べて、使い捨ておむつ１を視認させたときに、柔らかくふくらんだ質感（柔軟な質感）を利用者に印象づけることができる。  
また、サイドフラップ部１Ｂにはファスニングテープ３０が設けられており（図４参照）、製品幅方向の両側のサイドフラップ部１Ｂを内側に折り畳むことによって（図６Ａ参照）、ファスニングテープ３０が内側に収容されるため、使い捨ておむつ１を４つ折り状態にしたときに（図６Ｃ参照）、ファスニングテープ３０が外側から視認されない状態になる。この結果、ファスニングテープ３０が外側から視認される状態と比べて、使い捨ておむつ１を視認させたときに、柔らかくふくらんだ質感（柔軟な質感）を利用者に印象づけることができる。
【００５４】
図８は、変形例の包装体１００の外蓋８１を外した様子の説明図である。
【００５５】
変形例では、使い捨ておむつ１に図柄が印刷されている。使い捨ておむつ１の図柄は、使い捨ておむつ１を装飾する機能を有する。ここでは、使い捨ておむつ１の防漏シート２３の非肌側（外側）の表面に図柄が印刷されており、図柄はバックシート２４越しに外側から視認可能に構成されている。但し、使い捨ておむつ１の図柄は、バックシート２４に直接印刷されても良いし、防漏シート２３やバックシート２４以外のシートに印刷されても良い。
【００５６】
変形例では、図８に示すように、４つ折り状態の使い捨ておむつ１の少なくとも外側折り目６２Ｂの領域に図柄が形成されている。これにより、図８に示すように、図柄が外側折り目６２Ｂに沿って湾曲するため、利用者が外側折り目６２Ｂの緩やかな曲面を認識し易くなる。この結果、使い捨ておむつ１を視認させたときに、柔らかくふくらんだ質感（柔軟な質感）を利用者に印象づけることができる。また、変形例では、外側折り目６２Ｂの緩やかな曲面に図柄が形成されているため、薄く折り畳まれた状態の折り目に図柄が形成された場合と比べて、利用者が図柄を認識し易くなり、利用者の第１印象を向上させることができる。
【００５７】
また、変形例では、複数（ここでは５個）の使い捨ておむつ１の図柄がそれぞれ異なっている。これにより、緩やかな曲面が連なる状態を利用者が認識し易くなる。この結果、柔らかくふくらんだ質感（柔軟な質感）を利用者に更に印象づけることができる。また、変形例では、外側折り目６２Ｂの緩やかな曲面に図柄が形成されているため、複数の使い捨ておむつ１の図柄がそれぞれ異なっていても、利用者がそれぞれの図柄を認識し易くなるため、特に有効である。但し、複数の使い捨ておむつ１の図柄が共通でも良い。
【００５８】
上記の通り、本実施形態の第２部分５２の外側折り目６２Ｂは、使い捨ておむつ１の視覚による第１印象に影響を与える部位となる。このため、図２や図８に示すように、第２部分５２の外側折り目６２Ｂには、インジケーターが配置されないことが望ましい。なお、インジケーターは、尿及び便の少なくとも一方を検出するための検出部であり、尿または便と接触することによって所定の反応（例えば呈色反応）を呈することにより、尿または便が排出されたことを外部に識別可能に示す部位である。仮にインジケーターが第２部分５２の外側折り目６２Ｂに形成されていると、外箱７０に収容されている使い捨ておむつ１を見た利用者は、包装対象の質感を感じ取る前に包装対象が使い捨ておむつ１であることを直ちに認識してしまうため、包装対象の柔軟な質感を感じにくくなるおそれがある。これに対し、外側折り目６２Ｂにインジケーターが配置されないことによって、図２や図８に示す使い捨ておむつ１を見た利用者は、包装対象が使い捨ておむつ１であることを認識する前に、利用者が外側折り目６２Ｂの緩やかな曲面を認識し易くなり、柔らかくふくらんだ質感を認識し易くなる。
【００５９】
同様に、図２や図８に示すように、第２部分５２の外側折り目６２Ｂには、補助表示が形成されていないことが望ましい。なお、補助表示とは、使い捨ておむつ１の使用を補助するための表示（文字や記号など）である。補助表示には、例えば、前部３であることを示す「まえ」との文字や、後部７であることを示す「うしろ」との文字や、使い捨ておむつ１のサイズを示す「新生児」、「Ｓ」、「Ｍ」、「Ｌ」等の文字や、ファスニングテープ３０を係合する位置を示す記号などが含まれる。仮にこのような補助表示が第２部分５２の外側折り目６２Ｂに形成されていると、外箱７０に収容されている使い捨ておむつ１を見た利用者は、包装対象の質感を感じ取る前に包装対象が使い捨ておむつ１であることを直ちに認識してしまうため、包装対象の柔軟な質感を感じにくくなるおそれがある。これに対し、第２部分５２の外側折り目６２Ｂに補助表示が形成されないことにより、図２や図８に示す使い捨ておむつ１を見た利用者は、包装対象が使い捨ておむつ１であることを認識する前に、利用者が外側折り目６２Ｂの緩やかな曲面を認識し易くなり、柔らかくふくらんだ質感を認識し易くなる。
【００６０】
＜中蓋８２の変形例＞
図９Ａ〜図９Ｃは、中蓋８２の変形例の説明図である。
【００６１】
図９Ａは、中蓋８２の第１変形例の説明図である。第１変形例では、中蓋８２の表面（詳しくは上面部８２Ａ）に画像が形成されている。ここでは、中蓋８２に形成された画像は、文字で構成されたメッセージである。但し、中蓋８２の表面に形成される画像は、文字に限られるものではなく、例えばロゴや、キャラクターなどの図柄でも良い。中蓋８２の表面に画像が形成されることによって、利用者に好印象を与えることができる。但し、図２に示すように、中蓋８２に画像が形成されていなくても良い。
【００６２】
図９Ｂは、中蓋８２の第２変形例の説明図である。第２変形例では、中蓋８２の上面部８２Ａが三角形状である。このように、中蓋８２の上面部８２Ａは、四角形状に限られるものではない。なお、中蓋８２の上面部８２Ａは、多角形状でなくても良く、例えば扇形のように上面部８２Ａの縁が曲線で構成されても良い。言い換えると、中蓋８２の縁（外箱７０の開口７１を横切る縁）は、直線に限られるものではなく、曲線でも良い。
【００６３】
図９Ｃは、中蓋８２の第３変形例の説明図である。第３変形例では、中蓋８２の上面部８２Ａに窓８２１が形成されている。第３変形例では、中蓋８２に形成された窓８２１から複数の使い捨ておむつ１が視認可能である。前述の中蓋８２では外箱７０と中蓋８２との隙間から使い捨ておむつ１が視認可能であったが（図２、図９Ａ及び図９Ｂ参照）、第３変形例に示すように、外箱７０と中蓋８２との間に隙間が形成されていなくても良い（図９Ｃ参照）。
【００６４】
なお、上記のいずれの中蓋８２においても、中蓋８２が配置された状態の外箱７０の開口７１（中蓋８２に覆われていない領域；例えば外箱７０と中蓋８２との隙間や、中蓋８２に形成された窓８２１）から複数の使い捨ておむつ１が視認可能である。これにより、緩やかな曲面で構成された第２部分５２の外側折り目６２Ｂが連なる状態を利用者が視認できるため、利用者に柔らかくふくらんだ質感（柔軟な質感）を印象づけることができる。
【００６５】
＜別の使い捨ておむつ１の例＞
上記の実施形態では、包装体１００の使い捨ておむつ１は展開型であった。但し、使い捨ておむつ１は展開型に限られるものではない。ここでは、包装対象がパンツ型の使い捨ておむつ１の場合について説明する。
【００６６】
図１０Ａ〜図１０Ｃは、パンツ型の使い捨ておむつ１の折り畳み方の説明図である。
【００６７】
パンツ型の場合においても、図１０Ａ及び図１０Ｂに示すように、使い捨ておむつ１は、第１部分５１及び第２部分５２に２つ折りされる。ここでは、第１部分５１は、上部（胴周り部）を含み、第２部分５２は下部（股下部）を含む。パンツ型の場合においても、使い捨ておむつ１は、２つ折り状態（図１０Ｂ参照）から第１部分５１を第２部分５２の内側にするように２つ折りされた状態で４つ折りにされる。
【００６８】
パンツ型の場合には、展開型の場合とは異なり、第２折り目６２は、第１折り目６１とは異なる方向に沿って形成される。但し、パンツ型の場合においても、展開型の場合と同様に、第２部分５２は第１部分５１の外側に配置されるため、第２部分５２の外側折り目６２Ｂは、第１部分５１の内側折り目６２Ａよりも緩やかな曲面となる。パンツ型の場合においても、複数の使い捨ておむつ１をそれぞれ図１０Ｃに示すように４つ折り状態にした上で、図２に示すように、第２部分５２の外側折り目６２Ｂが外箱７０の開口７１の位置する側（上側）を向いて並列した状態で複数のパンツ型の使い捨ておむつ１を外箱７０に収容する。これにより、緩やかな曲面で構成された第２部分５２の外側折り目６２Ｂが連なる状態を利用者が視認できるため、利用者に柔らかくふくらんだ質感（柔軟な質感）を印象づけることができる。
【００６９】
図１０Ｄは、参考例の説明図である。参考例では、図１０Ｃと比べて、４つ折り状態での第１部分と第２部分との内外が逆になっている。参考例では、４つ折り状態のときにウエストギャザーが外側に配置され、外側折り目にウエストギャザーが配置されている。参考例のように４つ折りにした複数の使い捨ておむつ１を外箱７０に収容した場合、視覚的な質感がウエストギャザーによって損なわれるおそれがある。このため、図１０Ｃに示すように、ウエストギャザーを含む第１部分を第２部分５２の内側にするように、使い捨ておむつ１が４つ折りにされることが望ましい。また、図１０Ｃに示すように使い捨ておむつ１が４つ折りにされた場合、第２部分５２（外側折り目６２Ｂ）に吸収体（不図示）が配置されているため、参考例と比べて、外側折り目６２Ｂが緩やかな曲面となるので、望ましい。
【００７０】
なお、図１０Ｃに示すように、４つ折りされた使い捨ておむつ１の側面からウエストギャザーが突出し、外側折り目６２Ｂの延長上にウエストギャザーが配置されることがある。このような場合には、図２に示すように、ウエストギャザーが中蓋８２の下に隠れるように、使い捨ておむつ１を外箱７０に収容することが望ましい。
【００７１】
＝＝＝その他の実施の形態＝＝＝
【００７２】
以上、本考案の実施形態について説明したが、上記の実施形態は、本考案の理解を容易にするためのものであり、本考案を限定して解釈するためのものではない。また、本考案は、その趣旨を逸脱することなく、変更や改良され得るとともに、本考案にはその等価物が含まれるのはいうまでもない。
【符号の説明】
【００７３】
１  使い捨ておむつ、１Ａ  本体部、１Ｂ  サイドフラップ部、
３  前部、５  股下部、７  後部、
２１  吸収体、２２  トップシート、２３  防漏シート、
２４  バックシート、２６  肌側シート、
２９  ターゲットシート、３０  ファスニングテープ、
４１  ウエスト伸縮部材、４２  レッグ伸縮部材、
４３  レッグサイド伸縮部材、
５１  第１部分、５２  第２部分、
６１  第１折り目、６２  第２折り目、
６２Ａ  内側折り目、６２Ｂ  外側折り目、
７０  外箱、７１  開口、７０Ａ  底部、７０Ｂ  側面部、
８１  外蓋、８１Ａ  上面部、８１Ｂ  側面部、
８２  中蓋、８２Ａ  上面部、８２Ｂ  側面部、８２１  窓、
１００  包装体
【図１】
0003229343.tif 000003
【図２】
0003229343.tif 000004
【図３】
0003229343.tif 000005
【図４】
0003229343.tif 000006
【図５】
0003229343.tif 000007
【図６】
0003229343.tif 000008
【図７】
0003229343.tif 000009
【図８】
0003229343.tif 000010
【図９】
0003229343.tif 000011
【図１０】
0003229343.tif 000012